(57)【要約】【課題】  ユーザーの操作の柔軟性を向上し、ユーザーの作業効率と体験度を向上させる、ＰＬＣを監視する方法、モジュール及び移動端末を提供する。【解決手段】  プログラマブル論理制御装置は一つ又は複数の監視対象に接続され、移動端末とＰＬＣを接続し、ユーザーが入力した対象部品リストから前記監視対象のために対象部品を選択する選択情報を受信し、前記選択情報に基づき対象部品を確定し、ユーザーが入力した第一の入力情報に基づき、前記対象部品と対応する監視対象を関連させる。一方で、前記移動端末は前記ＰＬＣが送信する前記監視対象に対するデータを受信し、対応する対象部品は前記データに基づき前記監視対象の状態を表示する、もう一方で、ユーザーは移動端末によってＰＬＣを制御する。【選択図】図１
2018133078.tif 000002
【特許請求の範囲】
【請求項１】
一つ又は複数の監視対象に接続されるプログラマブル論理制御装置を監視する方法であって、
移動端末と前記プログラマブル論理制御装置を接続する工程と、
前記移動端末は、ユーザーが入力した対象部品リストから前記監視対象のために対象部品を選択する選択情報を受信し、前記選択情報に基づき前記対象部品を確定する工程と、
前記移動端末は、前記ユーザーが入力した第一の入力情報に基づき、前記対象部品と対応する監視対象を関連させる工程と、
前記移動端末は、前記プログラマブル論理制御装置が送信する前記監視対象に対するデータを受信し、前記対象部品は前記データに基づき前記監視対象の状態を表示する工程と、を含むことを特徴とするプログラマブル論理制御装置を監視する方法。
【請求項２】
前記移動端末は、前記ユーザーが前記対象部品に対して入力した第二の入力情報を受信する工程と、
前記第二の入力情報に基づき、前記プログラマブル論理制御装置に制御命令を送信し、前記第二の入力情報に基づき、前記監視対象を前記プログラマブル論理制御装置に制御させる工程と、をさらに含む請求項１に記載のプログラマブル論理制御装置を監視する方法。
【請求項３】
前記移動端末に前記対象部品リストを予め保存する工程をさらに含む請求項１に記載のプログラマブル論理制御装置を監視する方法。
【請求項４】
前記移動端末は、前記ユーザーが入力した第三の入力情報に基づき、一つ又は複数のページを作成し、前記移動端末は、各前記ページにおいて、前記選択情報に基づき、前記対象部品を確定する工程をさらに含む請求項１に記載のプログラマブル論理制御装置を監視する方法。
【請求項５】
前記移動端末は、前記第一の入力情報に基づき、前記対象部品の属性情報を編集する請求項１に記載のプログラマブル論理制御装置を監視する方法。
【請求項６】
一つ又は複数の監視対象に接続されるプログラマブル論理制御装置を監視するモジュールであって、
移動端末に配置され、
前記プログラマブル論理制御装置と接続され、前記プログラマブル論理制御装置が送信する前記監視対象に対するデータを受信する通信手段と、
ユーザーが入力した対象部品リストから前記監視対象のために対象部品を選択する選択情報に基づき、前記対象部品を確定する選択手段と、
前記ユーザーが入力した第一の入力情報に基づき、前記対象部品と対応する監視対象を関連させる編集手段と、
前記通信手段が受信した前記データに基づき、前記監視対象の状態を前記対象部品に表示させる表示手段と、を含むことを特徴とするプログラマブル論理制御装置を監視するモジュール。
【請求項７】
前記通信手段は前記ユーザーが前記対象部品に対して入力した第二の入力情報に基づき、前記プログラマブル論理制御装置に制御命令を送信し、前記第二の入力情報に基づき、前記監視対象を前記プログラマブル論理制御装置に制御させる請求項６に記載のプログラマブル論理制御装置を監視するモジュール。
【請求項８】
前記対象部品リストを予め保存する保存手段をさらに含む請求項６に記載のプログラマブル論理制御装置を監視するモジュール。
【請求項９】
前記表示手段は、前記ユーザーが入力した第三の入力情報に基づき、一つ又は複数のページを作成し、各前記ページにおいて、前記選択手段は前記選択情報に基づき、前記対象部品を確定する請求項６に記載のプログラマブル論理制御装置を監視するモジュール。
【請求項１０】
前記編集手段は、前記第一の入力情報に基づき、前記対象部品の属性情報を編集する請求項６に記載のプログラマブル論理制御装置を監視するモジュール。
【請求項１１】
請求項６〜１０のいずれか一項に記載のプログラマブル論理制御装置を監視するモジュールを含む移動端末。
【発明の詳細な説明】
【技術分野】
【０００１】
本発明はプログラマブル論理制御装置（ｐｒｏｇｒａｍｍａｂｌｅ  ｌｏｇｉｃ  ｃｏｎｔｒｏｌｌｅｒ）分野に関し、特にＰＬＣを監視する方法、モジュール及び移動端末に関する。
【背景技術】
【０００２】
工業生産において、ＰＬＣを幅広く使用して工業生産プロセスを制御している。例えば、生産設備の制御システムにおいて、ＰＬＣによってそれに接続されたスイッチ、ランプ等の部品を自動制御することができる。工業生産がスムーズに進行されるために、ユーザーは制御データを監視及び維持する必要がある。
【０００３】
現在、携帯電話にインストールされたアプリケーションプログラム（Ａｐｐｌｉｃａｔｉｏｎ、略称ＡＰＰ）によって制御データを監視できる。しかしながら、現在のＡＰＰが監視できるＰＬＣの部品（監視対象）は、アプリケーションプログラムの開発プロセスで固定される。ユーザーは異なるＰＬＣの部品を監視しようとする場合、ＰＬＣメーカーは異なるアプリケーションプログラムを提供しなければならない。ユーザーが監視する対象はメーカーに提供される小さな範囲内に無い場合、該ＡＰＰを用いてＰＬＣを監視することができない。
【０００４】
注意しなければならないこととして、上記技術背景の紹介は、本発明の技術案に対して明確で、完全な説明を行いやすくして、当業者が理解しやすいように詳述したものである。これらの案は、本発明の背景技術部分において、詳述されているだけで、上記技術案は当業者にとって公知であると認定することはできない。
【発明の概要】
【発明が解決しようとする課題】
【０００５】
背景技術で指摘された上記課題を解決するために、本発明の実施例は、ユーザーの操作の柔軟性を向上し、ユーザーの作業効率と体験度を向上させる、ＰＬＣを監視する方法、モジュール及び移動端末を提供することである。
【課題を解決するための手段】
【０００６】
本発明の実施例の第一の態様によると、一つ又は複数の監視対象に接続されるプログラマブル論理制御装置を制御する方法であって、
移動端末と前記プログラマブル論理制御装置を接続する工程と、
前記移動端末は、ユーザーが入力した対象部品リストから前記監視対象のために対象部品を選択する選択情報を受信し、前記選択情報に基づき前記対象部品を確定する工程と、
前記移動端末は、前記ユーザーが入力した第一の入力情報に基づき、前記対象部品と対応する監視対象を関連させる工程と、
前記移動端末は、前記プログラマブル論理制御装置が送信する前記監視対象に対するデータを受信し、前記対象部品は前記データに基づき前記監視対象の状態を表示する工程と、を含むプログラマブル論理制御装置を監視する方法を提供する。
【０００７】
本発明の実施例の第二の態様によると、前記移動端末は、前記ユーザーが前記対象部品に対して入力した第二の入力情報を受信する工程と、
前記第二の入力情報に基づき、前記プログラマブル論理制御装置に制御命令を送信し、前記第二の入力情報に基づき、前記監視対象を前記プログラマブル論理制御装置に制御させる工程と、をさらに含む第一の態様に記載のプログラマブル論理制御装置を監視する方法を提供する。
【０００８】
本発明の実施例の第三の態様によると、前記移動端末に前記対象部品リストを予め保存する工程をさらに含む第一の態様に記載のプログラマブル論理制御装置を監視する方法を提供する。
【０００９】
本発明の実施例の第四の態様によると、前記移動端末は、前記ユーザーが入力した第三の入力情報に基づき、一つ又は複数のページを作成し、前記移動端末は、各前記ページにおいて、前記選択情報に基づき、前記対象部品を確定する工程をさらに含む第一の態様に記載のプログラマブル論理制御装置を監視する方法を提供する。
【００１０】
本発明の実施例の第五の態様によると、前記移動端末は、前記第一の入力情報に基づき、前記対象部品の属性情報を編集する第一の態様に記載のプログラマブル論理制御装置を監視する方法を提供する。
【００１１】
本発明の実施例の第六の態様によると、一つ又は複数の監視対象に接続されるプログラマブル論理制御装置を制御するモジュールであって、
移動端末に配置され、
前記プログラマブル論理制御装置と接続され、前記プログラマブル論理制御装置が送信する前記監視対象に対するデータを受信する通信手段と、
ユーザーが入力した対象部品リストから前記監視対象のために対象部品を選択する選択情報に基づき、前記対象部品を確定する選択手段と、
前記ユーザーが入力した第一の入力情報に基づき、前記対象部品と対応する監視対象を関連させる編集手段と、
前記通信手段が受信した前記データに基づき、前記監視対象の状態を前記対象部品に表示させる表示手段と、を含むプログラマブル論理制御装置を監視するモジュールを提供する。
【００１２】
本発明の実施例の第七の態様によると、前記通信手段は前記ユーザーが前記対象部品に対して入力した第二の入力情報に基づき、前記プログラマブル論理制御装置に制御命令を送信し、前記第二の入力情報に基づき、前記監視対象を前記プログラマブル論理制御装置に制御させる第六の態様に記載のプログラマブル論理制御装置を監視するモジュールを提供する。
【００１３】
本発明の実施例の第八の態様によると、前記対象部品リストを予め保存する保存手段をさらに含む第六の態様に記載のプログラマブル論理制御装置を監視するモジュールを提供する。
【００１４】
本発明の実施例の第九の態様によると、前記表示手段は、前記ユーザーが入力した第三の入力情報に基づき、一つ又は複数のページを作成し、各前記ページにおいて、前記選択手段は前記選択情報に基づき、前記対象部品を確定する第六の態様に記載のプログラマブル論理制御装置を監視するモジュールを提供する。
【００１５】
本発明の実施例の第十の態様によると、前記編集手段は、前記第一の入力情報に基づき、前記対象部品の属性情報を編集する第六の態様に記載のプログラマブル論理制御装置を監視するモジュールを提供する。
【００１６】
本発明の実施例の第十一の態様によると、第六〜第十の態様のいずれか一項に記載のプログラマブル論理制御装置を監視するモジュールを含む移動端末を提供する。
【発明の効果】
【００１７】
本発明の有益な効果は、本発明の実施例の方法、モジュール及び移動端末に基づき、ユーザーの操作の柔軟性を向上し、ユーザーの作業効率と体験度を向上させることにある。
【００１８】
以下の明細書及び図面を参照すると、本発明の特定の実施方式を詳細に公開して、本発明の原理は採用され得る方式を指摘している。本発明の実施方式は明細書及び図面の範囲において制限されないことを理解されなければならない。請求項に付属する精神と条項の範囲内で、発明の実施方式は多くの変更、補正及び同意義のものを含む。
【００１９】
実施方式の記述及び／又は示される特徴について、同じ又は相似の方式で一つ以上のその他の実施方式において使用する、その他の実施方式における特徴と組み合わせる、又は、その他の実施方式における特徴に置換してもよい。
【００２０】
強調しなければならないこととして、用語「含む／包含する」は本文で使用される時、特徴、全体、工程又は構成要素の存在を指すが、一つ以上のその他の特徴、全体、工程又は構成要素の存在又は追加を排除しない。
【図面の簡単な説明】
【００２１】
含まれる図面は本発明の実施例をさらに理解するために用いるものであり、それは明細書の一部を構成しており、本発明の実施方式を例示して、文言の記述と共に本発明の原理を説明するのに用いられる。自明に、以下の記述中の図面は本発明の実施例にすぎず、当業者にとって、創造性の勤労を払わない前提の下、これらの図面に基づき、その他の図面を得ることもできる。
【００２２】
【図１】本発明の実施例１のＰＬＣを監視する方法の模式図である。
【図２】本発明の実施例１のＰＬＣを監視する方法の別の模式図である。
【図３】本発明の実施例１のＰＬＣを監視する方法の別の模式図である。
【図４】本発明の実施例１の移動端末、ＰＬＣ、監視対象の接続の模式図である。
【図５】本発明の実施例１の移動端末が表示する新規監視画面を作成する模式図である。
【図６】本発明の実施例１の移動端末が表示する新規監視ページに入る模式図である。
【図７】本発明の実施例１の移動端末が表示する対象部品リストの模式図である。
【図８】本発明の実施例１の移動端末が表示する対象部品を選択する模式図である。
【図９】本発明の実施例１の移動端末が表示する対象部品をドラッグする模式図である。
【図１０】本発明の実施例１の移動端末が表示する対象部品を削除する模式図である。
【図１１】本発明の実施例１の移動端末が表示する対象部品を編集する模式図である。
【図１２】本発明の実施例１の移動端末が表示するマルチ画面の模式図である。
【図１３】本発明の実施例２のＰＬＣを監視するモジュールの模式図である。
【図１４】本発明の実施例３のＰＬＣを監視する移動端末のシステム構成の模式図である。
【発明を実施するための形態】
【００２３】
図面を参照すると、以下の明細書によって、本発明の前述及びその他の特徴は明確になる。明細書及び図面において、本発明の特定の実施方式を具体的に公開しており、本発明の原則を採用できる一部の実施方式を示しており、理解しなければならないこととして、本発明は、記述された実施方式に制限されず、反対に、本発明は、請求項の範囲内に入る全ての補正、変更及び同意義のものを含む。
【００２４】
実施例１
本実施例は、一つ又は複数の監視対象に接続されるプログラマブル論理制御装置（ＰＬＣ）を監視する方法を提供する。
【００２５】
図１は本発明の実施例１のＰＬＣを監視する方法のフローチャート図である。該方法を模式的に説明している。図１に示すように、該方法は、
移動端末とＰＬＣを接続する工程１０１と、
移動端末は、ユーザーが入力した対象部品リストから該ＰＬＣが対象部品を選択するための選択情報を受信し、該選択情報に基づき対象部品を確定する工程１０２と、
移動端末は、ユーザーが入力した第一の入力情報に基づき、対象部品と対応する監視対象を関連させる工程１０３と、
移動端末は、ＰＬＣが送信する該監視対象に対するデータを受信する工程１０４と、
対象部品は該データに基づき対応する監視対象の状態を表示する工程１０５と、を含む。
【００２６】
工程１０４において、ＰＬＣが送信する監視対象に対するデータはＰＬＣ入力及び／又は出力データ、中間データを含んでもよく、中間データはデータ保存エリアの値、ワークエリアの値、カウンターの値、ＰＬＣの状態値等を含んでもよい。
【００２７】
本実施例において、移動端末においてＰＬＣを監視するモジュール（デバイス又は仮想デバイスと称してもよい）を動作させることで該監視方法を実施できる。該モジュールは例えば携帯電話において動作するアンドロイドシステムに基づくアプリケーションシステム（Ａｎｄｒｏｉｄ  ＡＰＰ）であってもよく、アップル社が開発したモバイルオペレーションシステムに基づくアプリケーションシステム（ＩＯＳ  ＡＰＰ）であってもよいが、本発明はこれに制限されず、例えば、その他の移動端末において動作するその他のオペレーションシステムのアプリケーションシステムでもよい。
【００２８】
また、該移動端末は有線又はワイヤレスによってＰＬＣと通信接続をセットでき、例えば、ＷｉＦｉ（Ｗｉｒｅｌｅｓｓ  Ｆｉｄｅｌｉｔｙ）、ブルートゥース又はＵＳＢ（Ｕｎｉｖｅｒｓａｌ  Ｓｅｒｉａｌ  Ｂｕｓ）等によってＰＬＣと通信する。
【００２９】
本実施例の方法によって、ユーザーは実際の状況に基づき、対象部品を柔軟に選択して、ユーザーの操作の柔軟性を向上し、作業効率と体験度を向上させる。
【００３０】
図２は本発明の実施例のＰＬＣを監視する方法の別の模式図である。図２に示すように、該方法は、
移動端末とＰＬＣを接続する工程２０１と、
移動端末は、ユーザーが入力した対象部品リストから該ＰＬＣが対象部品を選択するための選択情報を受信し、該選択情報に基づき対象部品を確定する工程２０２と、
移動端末は、ユーザーが入力した第一の入力情報に基づき、対象部品と対応する監視対象を関連させる工程２０３と、
移動端末は、監視を開始するか否か判断し、判断結果が「いいえ」である場合、工程２０５を実行し、判断結果が「はい」である場合、工程２０６を実行する工程２０４と、
移動端末は、ＰＬＣの監視を停止する工程２０５と、
移動端末は、ＰＬＣが送信する該監視対象に対するデータを受信し、対象部品は該データに基づき該監視対象の状態を表示する工程２０６と、
移動端末は、ユーザーが対象部品に対して入力した第二の入力情報を受信したか否かを判断し、第二の入力情報を受信していない状況下では、工程２０４に戻り、第二の入力情報を受信した状況下では、工程２０８を実行する工程２０７と、
移動端末は、該第二の入力情報に基づき、ＰＬＣに制御命令を送信し、該第二の入力情報に基づき、該監視対象をＰＬＣに制御させる工程２０８と、を含む。
【００３１】
本実施例において、ユーザーは、例えばスイッチ、数値入力、文書入力等の対象部品に対して第二の入力情報を入力でき、該第二の入力情報は該対象部品の信号又は現在値の設定情報であってもよい。工程２０３において、移動端末側の対象部品と対応するＰＬＣ側の監視対象を関連させるので、該対象部品のＯＮ／ＯＦＦ状態又は現在値を変更することで、ＰＬＣに制御命令を送信して、該対象部品のＯＮ／ＯＦＦ状態又は現在値の設定情報に基づき、対応する監視対象の信号又は設定値をＰＬＣに制御させる。
【００３２】
これによって、ユーザーは各ＰＬＣ部品の状態を監視できるだけではなく、実際の状況に基づき、各ＰＬＣ部品に対する信号又は設定値を柔軟に設定して、管理、維持作業の利便性をさらに向上させ、作業効率を向上させることもできる。
【００３３】
図３は本発明の実施例のＰＬＣを監視する方法の別の模式図である。図３に示すように、該方法は、
移動端末に対象部品リストを予め保存する工程３０１と、
移動端末とＰＬＣを接続する工程３０２と、
移動端末は、ユーザーが入力した対象部品リストから該ＰＬＣが対象部品を選択するための選択情報を受信し、該選択情報に基づき対象部品を確定する工程３０３と、
移動端末は、ユーザーが入力した第一の入力情報に基づき、対象部品と対応する監視対象を関連させる工程３０４と、
移動端末は、ＰＬＣが送信する該監視対象に対するデータを受信する工程３０５と、
対象部品は該データに基づき監視対象の状態を表示する工程３０６と、を含む。
【００３４】
工程３０１において、移動端末に対象部品リストを予め保存する。ユーザーは対象部品リストにおいて、ＰＬＣに接続された監視対象に基づき、監視するＰＬＣ対象部品を自由に選択でき、これによって、ユーザーはこのような豊富な部品において適切な対象部品の種類を選択でき、多種類のＰＬＣを監視でき、操作の柔軟性を向上させる。
【００３５】
本実施例において、移動端末は、ユーザーが入力した第三の入力情報に基づき、一つ又は複数のページを作成でき、且つ、各ページにおいて、ユーザーが入力した対象部品選択情報に基づき、一つ又は複数の対象部品を確定する。ユーザーは、移動端末が一つ又は複数のページを作成することを指示でき、且つ、監視ページの数は、ユーザーが任意に追加又は削減できると同時に、ユーザーは、各監視ページにおいて対象部品を任意に追加又は削減できる。これによって、監視を必要とする対象部品が多い状況下、又は、分類表示する必要がある状況下で、監視画面を明瞭に表示できる。
【００３６】
本実施例において、移動端末は、ユーザーが入力した第一の入力情報に基づき、対象部品の属性情報を編集できる。対象部品の属性情報は対象部品のデータアドレス情報、及び対象部品の移動端末の表示手段における表示位置及び表示名称等の多種類の情報を含んでもよい。これによって、ユーザーは必要に応じて、対象部品の属性情報を編集して、対応するＰＬＣ監視対象と関連させることができ、且つ、監視画面フォーマットを配列でき、画面上に必要な内容を明瞭に表示できる。
【００３７】
以下に図４〜１２を用いて、移動端末がＰＬＣを監視する方法について例を挙げて説明する。
【００３８】
図４はＰＬＣを監視する時の、移動端末、ＰＬＣ、監視対象の接続の模式図である。図４に示すように、移動端末４１はＰＬＣ４２と接続され、ＰＬＣ４２に一つ又は複数の監視対象４３が接続されており、監視対象４３はランプ４３１、スイッチ４３２、温度ディスプレイ４３３等一つ又は複数のＰＬＣ部品を含んでもよい。
【００３９】
該移動端末４１において監視機能を有する監視モジュール（不図示）を動作し、該監視モジュールによってＰＬＣ４２を監視する。該監視モジュールは、前述したように、移動端末４１中で動作する専用ＡＰＰであってもよい。移動端末４１は該監視モジュールによってＰＬＣ４２の各監視対象４３に対するデータを監視する。
【００４０】
以下、図５〜図１２を例にして、図４を参照して移動端末の表示画面を例示的に説明する。
【００４１】
図５は本発明の実施例１の移動端末が表示する新規監視画面を作成する模式図である。図５に示すように、該モジュールに入った後、移動端末４１の画面上に「既存監視画面の導入」と「新規監視画面の作成」を表示できる。ユーザーは「既存監視画面の導入」ボタンをクリックすることで、予め保存してある監視画面を監視モジュールに導入し、「新規監視画面の作成」ボタンをクリックすることで、監視画面の新規作成インターフェースに入ることができる。
【００４２】
図６は本発明の実施例１の移動端末が表示する新規監視ページに入る模式図である。図７は本発明の実施例の移動端末が表示する対象部品リストの模式図である。図６及び７に示すように、監視画面の新規作成インターフェースに特定のジェスチャー操作を入力する。例えば、右にスライドすることで、予め保存してある対象部品リストの内容を表示できる。該対象部品リストは、ランプ、タッチスイッチ、数値入力、数値出力、文書入力、文書出力等の対象部品を含んでもよい。
【００４３】
図８は本発明の実施例１の移動端末が表示する対象部品を選択する模式図である。図８に示すように、ユーザーは現在のＰＬＣ４２に接続された監視対象の状況に基づき、対象部品リストから、ＰＬＣ４２と接続された監視対象が対応する対象部品を選択できる。例えば、ＰＬＣ４２に接続された監視対象がランプ４３１である時（図４参照）、移動端末４１の画面上に表示されている部品リストの「ランプ」（図７参照）をクリックすることで、一つの種類が「ランプ」である対象部品を選択する。図８を参照して、「ランプ」種類の対象部品が選択された後、対象部品のアイコン８０１が移動端末４１の画面上に表示される。
【００４４】
ユーザーは特定のジェスチャー操作を入力することで、該対象部品の属性情報を編集することもできる。
【００４５】
図９は本発明の実施例の移動端末が表示する対象部品をドラッグする模式図である。例えば、図９に示すように、位置Ａにある対象部品「ランプ」のアイコン８０１をクリックして、それを画面の指定位置Ｂまでドラッグできる。
【００４６】
図１０は本発明の実施例の移動端末が表示する対象部品を削除する模式図である。図１０に示すように、対象部品「ランプ」のアイコン８０１を長押して、画面に表示されるダイアログに応じて、該部品を削除するかどうかを選択できる。
【００４７】
これによって、ユーザーは実際の必要及び個人の好みに応じて、監視画面フォーマットを配列でき、画面上に必要な内容を明瞭に表示できる。
【００４８】
図１１は本発明の実施例の移動端末が表示する対象部品を編集する模式図である。図１１に示すように、ユーザーは対象部品「ランプ」のアイコン８０１（図８参照）をダブルクリックして「ランプ」の情報を編集することもできる。例えば、ユーザーは監視対象ランプ４３１（図４参照）のデータアドレスに基づき、対象部品「ランプ」のデータアドレスを編集して、対象部品「ランプ」と監視対象ランプ４３１を関連させる。
【００４９】
移動端末４１はＰＬＣ４２の監視を開始した後、移動端末４１はＰＬＣ４２の該監視対象ランプ４３１に対するデータを受信し、対象部品「ランプ」は受信したデータに基づき、監視対象ランプ４３１の対応状態を表示する。例えば、ＰＬＣ４２が監視対象ランプ４３１に信号「ＯＮ」を送信する時、監視対象ランプ４３１は点灯して、移動端末４１側で該「ＯＮ」信号を受信して、該監視対象ランプ４３１と関連する対象部品「ランプ」のアイコンを強調表示する。
【００５０】
また、ユーザーは対象部品の信号又は設定値を編集して、該対象部品と対応する監視対象の信号又は設定値を制御することもできる。例えば、ユーザーは必要に応じて、対象部品「スイッチ」の信号状態を「ＯＮ」又は「ＯＦＦ」にする。又は、対象部品「スイッチ」の信号を一定周期に基づき「ＯＮ」と「ＯＦＦ」を交互になるようにすることができる。同時に、移動端末４１は該入力情報に基づき、ＰＬＣ４２に対象部品「スイッチ」の設定の信号を送信し、ＰＬＣ４２は該信号に基づき、監視対象スイッチ４３２（図４参照）に対する信号を設定して、監視対象スイッチ４３２に、ユーザーが指定した入力情報に基づき、作業させる。
【００５１】
本実施例において、実際の必要に応じて、複数の監視画面を作成することもでき、且つ、複数の監視画面において切り換えることができ、異なる監視画面に異なる部品を追加してもよい。
【００５２】
図１２は本発明の実施例１の移動端末が表示するマルチ画面の模式図である。図１２に示すように、監視画面上方の左の矢印１２０１または右の矢印１２０２をクリックすることで監視画面を切り換える。一つの監視画面を選択した後、監視画面上方の編集１２０３ボタンをクリックすると、編集モードに戻ることができ、該監視画面において異なる対象部品を追加できる。
【００５３】
これによって、ユーザーは実際の必要に応じて一つ又は複数の監視ページを作成でき、監視を必要とする対象部品が多い状況下、又は、分類表示する必要がある状況下で、監視画面を明瞭に表示できる。また、監視画面上方の保存ボタン１２０４をクリックすると、ユーザーが設定した監視画面を保存でき、次回繰り返し使用できる。監視ボタン１２０５をクリックすると、監視モジュールは現在の監視画面の設定に基づき、ＰＬＣ部品の監視を開始する。
【００５４】
注意すべきこととして、上述は、監視対象を「ランプ」及び「スイッチ」を例とした監視方法についてしか模式的に説明をしていないが、本発明はこれに制限されず、監視対象はＰＬＣにおける全てのデータを含んでもよく、ＰＬＣ入力及び／又は出力データ、中間データを含み、中間データはデータ保存エリアの値、ワークエリアの値、カウンターの値、ＰＬＣの状態値等を含んでもよく、ユーザーは実際の状況に基づき、具体的な監視対象を確定できる。
【００５５】
本実施例の方法によって、ユーザーは移動端末上に監視モジュール（例えば、一つの専用ＡＰＰ）を一つインストールするだけで、異なる種類のＰＬＣを監視できる。且つ、実際の状況に基づき、監視ページを柔軟に設定し、監視を必要とする対象部品を柔軟に選択することもできると同時に、ユーザーはＰＬＣの監視対象に対するデータを監視できるだけではなく、ＰＬＣに制御信号を送信して、該制御信号に基づき、監視対象をＰＬＣに制御させることもできる。従って、ユーザーの操作の柔軟性を向上し、作業効率と体験度を向上させる。
【００５６】
実施例２
本実施例は、移動端末に配置され、一つ又は複数の監視対象に接続されるプログラマブル論理制御装置（ＰＬＣ）を監視するモジュールを提供する。
【００５７】
本実施例において、該監視モジュール（デバイス又は仮想デバイスと称してもよい）は例えばアンドロイドシステムに基づくアプリケーションシステム（Ａｎｄｒｏｉｄ  ＡＰＰ）であってもよく、ＩＯＳに基づくアプリケーションシステム（ＩＯＳ  ＡＰＰ）であってもよいが、本発明はこれに制限されず、例えば、その他の移動端末において動作するその他のオペレーションシステムのアプリケーションシステムでもよい。
【００５８】
図１３はＰＬＣを監視するモジュールの模式図である。図１３に示すように、該監視モジュール６１は通信手段６１１、選択手段６１２、編集手段６１３、表示手段６１４を含む。
【００５９】
通信手段６１１はＰＬＣと接続され、該ＰＬＣが送信する該監視対象に対するデータを受信し、選択手段６１２はユーザーが入力した対象部品リストから監視対象のために対象部品を選択する選択情報に基づき、対応する対象部品を確定し、編集手段６１３はユーザーが入力した第一の入力情報に基づき、該対象部品と対応する監視対象を関連させ、表示手段６１４は、通信手段６１１が受信したデータに基づき、監視対象の状態を該対象部品に表示させる。
【００６０】
本実施例の移動端末によって、ユーザーは実際の状況に基づき、対象部品を柔軟に選択して、ユーザーの操作の柔軟性を向上し、作業効率と体験度を向上させる。
【００６１】
本実施例において、通信手段６１１はユーザーが対象部品に対して入力した第二の入力情報に基づき、ＰＬＣに制御命令を送信し、該第二の入力情報に基づき、対応する監視対象をＰＬＣに制御させる。これによって、ユーザーは移動端末によって各ＰＬＣ部品の状態を監視できるだけではなく、実際の状況に基づき、各ＰＬＣ部品に対する信号又は設定値を柔軟に設定して、管理、維持作業の利便性をさらに向上させ、作業効率を向上させる。
【００６２】
本実施例において、図１３に示すように、監視モジュール６１は保存手段６１５をさらに含んでもよく、該保存手段６１５は対象部品リストを予め保存しており、これによって、ユーザーはＰＬＣに接続された監視対象に基づき、監視するＰＬＣ対象部品を自由に選択できる。これによって、ユーザーはこのような豊富な部品において適切な対象部品の種類を選択でき、多種類のＰＬＣを監視でき、操作の柔軟性を向上させる。
【００６３】
本実施例において、表示手段６１４は、ユーザーが入力した第三の入力情報に基づき、一つ又は複数のページを作成し、各前記ページにおいて、選択手段６１２はユーザーが入力した対象部品選択情報に基づき、対象部品を確定する。これによって、監視を必要とする対象部品が多い状況下、又は、分類表示する必要がある状況下で、監視画面を明瞭に表示できる。
【００６４】
本実施例において、編集手段６１３は、ユーザーが入力した第一の入力情報に基づき、対象部品の属性情報を編集できる。これによって、ユーザーは必要に応じて、対象部品の属性情報を編集して、対応するＰＬＣ監視対象と関連させることができ、且つ、表示手段６１４における監視画面フォーマットを配列でき、画面上に必要な内容を明瞭に表示できる。
【００６５】
本実施例は該監視モジュールの形式及び実現方法を制限するものではなく、上記機能のうち一つ又は複数を完成できさえすれば、いずれも本願の保護範囲に含まれる。該監視モジュールは一般的な通信プロトコルを用いてＰＬＣと通信でき、各種の主流のＰＬＣを監視できる。
【００６６】
実施例３
本発明の実施例３は、実施例２の監視モジュールを含む移動端末を提供し、該移動端末は携帯電話、タブレットコンピューター等であってもよいが、本実施例はこれに制限されない。
【００６７】
図１４は本発明の実施例の移動端末のシステム構成の模式図である。該移動端末７０はＣＰＵ７１とメモリ７２を含んでもよい。メモリ７２はＣＰＵ７１に接続される。注意すべきこととして、該図は典型的なものであり、その他の種類の構造を使用して、該構造を補充又は代替して、その機能を実現してもよい。
【００６８】
図１４に示すように、該移動端末７０は、通信モジュール７３、入力手段７４、ディスプレイ７５、電源７６をさらに含んでもよい。
【００６９】
該ＣＰＵ７１（コントローラ又は操作制御と称されることもある、マイクロプロセッサ又はその他のプロセッサ装置及び／又は論理装置を含んでもよい）は、ユーザー操作及びＰＬＣ入力を受信し、移動端末７０の各部分及び操作を制御する。
【００７０】
本実施例において、メモリ７２は各種プログラムを実行する命令を保存でき、ＣＰＵ７１は上記命令を実行することで「プログラマブル論理制御装置と接続する。ユーザーが入力した対象部品リストから前記監視対象のために対象部品を選択する選択情報を受信し、前記選択情報に基づき前記対象部品を確定する。前記ユーザーが入力した第一の入力情報に基づき、前記対象部品と対応する監視対象を関連させる。前記プログラマブル論理制御装置が送信する前記監視対象に対するデータを受信し、対象部品は該データに基づき対応する監視対象の状態を表示する。」と制御するように配置されてもよい。
【００７１】
入力手段７４は、ＣＰＵ７１にユーザー操作入力を提供する。該入力手段７４は例えばボタン又はタッチ入力装置である。
【００７２】
ディスプレイ７５は画像、文字及び監視画面等の表示対象を表示するのに用いられる。該ディスプレイ７５は例えば液晶ディスプレイであるが、これに制限されない。
【００７３】
メモリ７２は固体メモリ、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＳＩＭ（Ｓｕｂｓｃｒｉｂｅｒ  Ｉｄｅｎｔｉｔｙ  Ｍｏｄｕｌｅ）カード等であってもよい。このようなメモリであってもよく、電源が切られた時でも、情報を保存でき、選択的に削除、より多くのデータを設定でき、該メモリの例として、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）等と称されることもある。メモリ７２は、ある種類のその他の種類のデバイスであってもよい。メモリ７２は、バッファメモリ７２１（バッファと称されることもある）、アプリケーション／機能保存部７２２、データ保存部７２３、駆動プログラム保存部７２４を含んでもよい。
【００７４】
該アプリケーション／機能保存部７２２はアプリケーションプログラム及び機能プログラムの保存に用いられる、又はＣＰＵ７１によって移動端末７０を操作するフローに用いられる。該データ保存部７２３はデータ、例えば、保存した監視画面等のデータの保存に用いられる。該駆動プログラム保存部７２４は駆動プログラムを保存し、これらの駆動プログラムは通信機能に用いられ、及び／又は、移動端末７０のその他の機能（例えば、メッセージングアプリケーション、アドレス帳アプリケーション等）の実行に用いられる。
【００７５】
通信モジュール７３は信号を送信及び受信する送信機／受信機である。通信モジュール７３はＣＰＵ７１に接続され、入力信号を提供し、出力信号を受信する。
【００７６】
本発明の実施例３はコンピュータリーダブルプログラムをさらに提供し、移動端末において前記プログラムを実行する時、前記プログラムは、前記移動端末において上述の実施例１に記載のＰＬＣ監視方法をコンピュータに実行させる。
【００７７】
本発明の実施例３はコンピュータリーダブルプログラムを保存する記憶媒体をさらに提供し、前記コンピュータリーダブルプログラムは、前記移動端末において上述の実施例１に記載のＰＬＣ監視方法をコンピュータに実行させる。
【００７８】
以上は図面を参考にして本発明の好ましい実施方式を記述した。これらの実施方式の多くの特徴と長所は該詳細な明細書に基づき明確なものであり、したがって、請求項はこれらの実施方式のその真実精神と範囲内に入る全てのこれらの特徴と長所を含む。また、当業者は多くの補正と変更を容易に想到し、したがって、本発明の実施方式は例示された記述の正確な構造と操作に制限されるものではなく、その範囲内に入る適切な補正及び同意義のものを含んでもよい。
【００７９】
本発明は、以上のような装置及び方法はハードウェアによって実現され、ハードウェアにソフトウェアを結合しても実現できる。本発明は、このようなコンピュータリーダブルプログラムに関し、該プログラムは論理部品によって実行される時、上述に記載の装置又は構成部品を該論理部品に実現させる、又は、上述に記載の各種方法又は工程を該論理部品に実現させる。本発明は、上述のプログラムを保存する記憶媒体にも関しており、例えば、ハードディスク、磁気ディスク、ＣＤ、ＤＶＤ、フラッシュメモリ等である。
【００８０】
以上、具体的な実施方式を結合して、本発明を記述しているが、当業者にとって、これらの記述はいずれも典型的なものであり、本発明の保護範囲を制限するものではないことは明確である。当業者は、本発明の精神と原理に基づき、本発明に対して各種変更、補正を行うことができ、これらの変更、補正も本発明の範囲内である。
【産業上の利用可能性】
【００８１】
ユーザーの操作の柔軟性を向上し、ユーザーの作業効率と体験度を向上させる、ＰＬＣを監視する方法、モジュール及び移動端末を提供する。
【符号の説明】
【００８２】
４１、７０：移動端末
４２：ＰＬＣ
４３：監視対象
４３１：ランプ
４３２：スイッチ
４３３：温度ディスプレイ
６１：監視モジュール
６１１：通信手段
６１２：選択手段
６１３：編集手段
６１４：表示手段
６１５：保存手段
７１：ＣＰＵ
７２：メモリ
７２１：バッファ
７２２：アプリケーション／機能
７２３：データ
７２４：駆動プログラム
７３：通信モジュール
７４：入力手段
７５：ディスプレイ
７６：電源
１０１〜３０６：工程
【図１】
2018133078.tif 000003
【図２】
2018133078.tif 000004
【図３】
2018133078.tif 000005
【図４】
2018133078.tif 000006
【図５】
2018133078.tif 000007
【図６】
2018133078.tif 000008
【図７】
2018133078.tif 000009
【図８】
2018133078.tif 000010
【図９】
2018133078.tif 000011
【図１０】
2018133078.tif 000012
【図１１】
2018133078.tif 000013
【図１２】
2018133078.tif 000014
【図１３】
2018133078.tif 000015
【図１４】
2018133078.tif 000016